(57)【要約】  本発明によれば、計量室（７）が、その上端で、弁体（９）の、バイアル瓶に取り付けられた状態でバイアル瓶の内部に位置する部分に固定されており、バイアル瓶の内部および計量室につながる入口通路が設けられ、出口通路が計量室と弁の外部とにつながっており、弁部（４）が開位置にあるときに入口通路を閉鎖するための入口閉鎖手段が設けられ、弁部（４）が閉位置にあるときに出口通路を閉鎖するための出口閉鎖手段が設けられる。また、弁部は、開位置を越えて、短絡位置と呼ばれる第３の位置に移動させることが可能であり、バイアル瓶の内部および弁の外部につながる短絡路と呼ばれる第３の通路が設けられ、弁部（４）が閉位置または開位置にあるときに短絡路を閉鎖するための短絡閉鎖手段が設けられる。【選択図】図１
2013530897.tif 000002
【特許請求の範囲】
【請求項１】
加圧バイアル瓶用の計量弁（１）であって、弁部（４）がその中で摺動可能である弁体（９）と、計量室（７）と、前記弁部（４）を閉位置と開位置との間で移動させるための手段と、を備え、閉位置では、バイアル瓶に取り付けられた状態において、前記計量室（７）は、前記バイアル瓶の内部につながる一方で、前記バイアル瓶の外部から切り離されており、開位置では、バイアル瓶に取り付けられた状態において、前記計量室（７）は、前記バイアル瓶の内部から切り離される一方で、前記バイアル瓶の外部につながっており、当該計量弁は、
前記計量室（７）が、その上端で、前記弁体（９）の、前記バイアル瓶に取り付けられた状態で該バイアル瓶の内部に位置する部分に固定されており、また、前記バイアル瓶の内部および前記計量室につながる入口通路（９９，９８１，７１４，７１２）が設けられ、出口通路（７１２，７１４，４４２，４４３，５１ｂ，４５、４２）が前記計量室と当該弁の外部とにつながっており、前記弁部（４）が開位置にあるときに前記入口通路を閉鎖するための入口閉鎖手段が設けられ、前記弁部（４）が閉位置にあるときに前記出口通路を閉鎖するための出口閉鎖手段が設けられており、
前記弁部は、開位置を越えて、短絡位置と呼ばれる第３の位置に移動させることが可能であり、前記バイアル瓶の内部と当該弁の外部とにつながる短絡路と呼ばれる第３の通路（９３１，９４，３１，４８，４７）が設けられ、前記弁部（４）が閉位置または開位置にあるときに前記短絡路を閉鎖するための短絡閉鎖手段（５ａ）が設けられることを特徴とする。
【請求項２】
前記短絡路は、前記計量室を通ることなく、前記バイアル瓶の内部と当該弁の外部とにつながっていることを特徴とする、請求項１に記載の計量弁（１）。
【請求項３】
前記短絡路が、前記入口通路および／または前記出口通路の少なくとも一部を通っていないのであれば、前記弁部が短絡位置にあるときには、前記入口閉鎖手段および／または前記出口閉鎖手段は閉位置にあることを特徴とする、請求項１または２に記載の計量弁（１）。
【請求項４】
前記入口閉鎖手段と前記出口閉鎖手段は、互いから独立であることを特徴とする、請求項１ないし３のいずれか１つに記載の計量弁（１）。
【請求項５】
前記入口通路は、前記弁体の壁の、前記バイアル瓶の内部またはパウチ（１１）につながっている領域に設けられた少なくとも１つの孔と、前記弁体（９）内部の壁（９８）に設けられたオリフィスと、前記計量室（７）に設けられたオリフィス（７１２）と、によって構成されており、
前記入口閉鎖手段は、前記弁部の円筒状テノン（４４）の形態をした下端部により構成され、その径方向断面は、前記壁（９８）の前記オリフィスの内寸に対応しており、これによって、前記テノンは、該オリフィスの中に入ると、これを緊密に閉鎖し、また、前記壁（９８）は、好ましくは、その端部が前記計量室（７）に向かって漏斗状（９８１）になっているカラー（９８）の形態をとるものであることを特徴とする、請求項１ないし４のいずれか１つに記載の計量弁（１）。
【請求項６】
前記壁（９８）に設けられた前記オリフィスの下方に、好ましくは環状リング（７１７）である封止手段が配置されることを特徴とする、請求項５に記載の計量弁（１）。
【請求項７】
前記出口通路は、前記計量室（７）に設けられたオリフィス（７１２）と、前記弁体（９）内部の壁（９８）に設けられたオリフィスと、前記弁部（４）に設けられて互いから障壁（４３）によって分離されている下部中央流路（４４２）および上部中央流路（４２）と、前記弁部の壁に設けられて前記上部中央流路（４２）の内部および前記弁部の外部とつながっている少なくとも１つのオリフィス（４５）と、前記弁部（４）の壁に設けられて前記下部中央流路（４４２）の内部および前記弁部（４）の外部とつながっている少なくとも１つのオリフィス（４４３）と、前記少なくとも１つのオリフィス（４５）と前記少なくとも１つのオリフィス（４４３）とをつなぐために設けられた連絡通路（５１ｂ）と、により構成されており、
前記出口閉鎖手段は、前記弁部がその中で摺動可能な環状壁からなる室シール（５ｂ）によって構成されており、該室シール（５ｂ）はその内面に少なくとも１つの環状溝（５１ｂ）を有し、その溝の高さは、前記上部中央流路（４２）に設けられた前記少なくとも１つのオリフィス（４５）と、前記下部中央流路（４４２）に設けられた前記少なくとも１つのオリフィス（４４３）との間の垂直距離に少なくとも等しい大きさであり、当該弁が閉位置にあるときには、前記上部中央流路の前記少なくとも１つのオリフィス（４５）および／または前記下部中央流路の前記少なくとも１つのオリフィス（４４３）は、前記環状壁の内面によって閉じられて、これにより前記出口通路を閉鎖し、当該弁が開位置にあるときには、前記上部中央流路の前記少なくとも１つのオリフィス（４５）および前記下部中央流路の前記少なくとも１つのオリフィス（４４３）は前記環状溝（５１ｂ）内に開口して、これにより前記出口通路を開放することを特徴とする、請求項１ないし６のいずれか１つに記載の計量弁（１）。
【請求項８】
前記計量室は、円筒部（７２１）を有し、その下端部と呼ばれる前記弁体と反対側の端部は、放射状下側壁と呼ばれる放射状の壁（７２２）で閉じられており、その上端部と呼ばれる前記弁体に向いた端部は、放射状上側壁と呼ばれる放射状の壁（７１１）で閉じられており、該円筒部（７２１）の内部でピストン（７３）が前記２つの放射状の壁の間を摺動可能であって、これにより計量容積を規定していることを特徴とする、請求項１ないし７のいずれか１つに記載の計量弁（１）。
【請求項９】
前記計量室の前記放射状上側壁（７１１）は開口部（７１２）を備え、前記円筒部の前記２つの放射状の壁（７２２，７１１）の間で前記ピストンが摺動可能であり、前記計量室の前記放射状下側壁（７２２）と前記ピストン（７３）との間にバネ（７４）を備え、これによって、他に制約がないときには、前記ピストンを、前記開口部を備える前記放射状上側壁（７１１）に対して押し返していることを特徴とする、請求項８に記載の計量弁（１）。
【請求項１０】
前記計量室を一方で形成する前記円筒部（７２１）と、他方の前記放射状上側壁（７１１）および／または前記放射状下側壁（７２２）とは、相互に組み付けまたは分離が可能な別々の部品をなしており、該壁を前記円筒部（７２１）に固定するための手段（７１６，７２３）を備えることを特徴とする、請求項８または９に記載の計量弁（１）。
【請求項１１】
前記弁体（９）には、前記計量室（７）と、前記入口通路、前記出口通路、および必要に応じて短絡路の始点とを包囲するようにフレキシブル・パウチ（１１）が溶接されていることを特徴とする、請求項１ないし１０のいずれか１つに記載の計量弁（１）。
【請求項１２】
前記弁部（４）は、上部流路と呼ばれる第１の軸方向流路（４２）を形成する上部円筒壁と呼ばれる第１の円筒壁（４１）と、第２の軸方向流路（４４２）を形成する第２の円筒壁（４４）と、により構成されており、前記２つの軸方向流路は、障壁（４３）によって互いから分離されており、前記上部流路（４２）は、その上端で軸方向開口部によって開口し、前記障壁（４３）の側で少なくとも１つの径方向開口部（４５）によって前記弁部の外面に開口しており、前記下部流路（４４２）は、その下端で軸方向開口部によって開口し、前記障壁（４３）の側で少なくとも１つの径方向開口部（４４３）によって前記弁部の外面に開口しており、前記弁部は、好ましくは、前記弁体（９）内で外部または内部に向かう自身の動きを制限するための少なくとも１つの環状ストッパ（４９ａ，４９ｂ）を、その外周に備えることを特徴とする、請求項１ないし１１のいずれか１つに記載の計量弁（１）。
【請求項１３】
前記弁部（４）は、環状流路（４７）を形成するように前記第１の円筒壁（４１）を同心状に少なくとも部分的に取り囲む第３の円筒壁（４６）を備え、前記環状流路（４７）は、前記２つの流路からは切り離されて、その上端部と呼ばれる端部に軸方向開口部を備え、さらに前記環状流路（４７）の内部と前記弁部の外部とにつながる少なくとも１つの径方向孔（４８）を備え、
前記弁体（９）および前記弁部（４）は、該弁部（４）が、開位置を越えて、短絡位置と呼ばれる位置に移動することができるように寸法設定されており、
前記弁体（９）は、前記計量室とは反対側に配置される弁シール（５ａ）を備え、これは、当該弁を取り付けた状態において、当該弁の閉位置では、前記環状流路（４７）の前記少なくとも１つの径方向孔（４８）が前記バイアル瓶の外部に位置し、当該弁の開位置では、前記環状流路の前記少なくとも１つの径方向孔（４８）が前記弁シール（５ａ）に面する位置でこれにより閉じられるか、または前記バイアル瓶の外部に位置し、当該弁の短絡位置では、前記環状流路（４７）の前記少なくとも１つの径方向孔（４８）が前記弁シール（５ａ）の外側とは反対側に位置するように、位置付けられていることを特徴とする、請求項１２に記載の計量弁（１）。
【請求項１４】
前記弁体（９）は、該弁体（９）内に配置される室シール（５ｂ）を備え、当該弁の閉位置では、前記弁部の前記上部流路（４２）の前記少なくとも１つの径方向孔が前記室シール（５ｂ）の高さに位置してこれにより閉じられ、前記環状ストッパ（４９ａ）は前記室シール（５ｂ）に緊密に当接することを特徴とする、請求項１２または１３に記載の計量弁（１）。
【請求項１５】
前記弁体（９）の外面に少なくとも１つの側部流路（９３１）が設けられ、該側部流路（９３１）は、前記バイアル瓶に取り付けられた状態において該バイアル瓶の内部またはパウチ（１１）内に開口する第１の開口部と、弁シール（５ａ）と室シール（５ｂ）との間で該弁体の内部に開口する第２の開口部（９４）と、を備えることを特徴とする、請求項１ないし１４のいずれか１つに記載の計量弁（１）。
【発明の詳細な説明】
【技術分野】
【０００１】
本発明は、加圧バイアル瓶用の計量弁に関するものであり、これは、弁部がその中で摺動可能な弁体と、計量室と、弁部を閉位置と開位置との間で移動させるための手段と、を備え、閉位置では、バイアル瓶に取り付けられた状態において計量室がバイアル瓶の内部とつながり、バイアル瓶の外部から切り離されており、開位置では、バイアル瓶に取り付けられた状態において計量室がバイアル瓶の内部から切り離され、バイアル瓶の外部とつながっている。
【背景技術】
【０００２】
本発明の計量弁は、加圧バイアル瓶用のものである。加圧バイアル瓶の弁の計量装置は、一般に、所定量のプロダクトを送出するために用いられる。分配されるプロダクトは、噴射ガスが入ったバイアル瓶の中にある。プロダクトは、噴射ガスと直接接触しているか、または噴射ガスの中に押し込まれたフレキシブル・パウチに入っている。
【０００３】
加圧バイアル瓶の弁の計量装置は、様々なタイプのものが知られている。
【０００４】
例えば、欧州特許第１０９９６４７号（特許文献１）は、弁の下流に位置する計量室を備え、バイアル瓶の弁のロッド（ステム）上に配置された計量装置を提案している。計量室は、ピストンがその中を摺動するシリンダで構成されている。シリンダの底部には、弁のステムの出口と直接つながっているオリフィスが設けられている。ピストンにもオリフィスが設けられており、これは、安全部材の中で摺動する軸管につながっており、その軸管の中には第２の弁がある。一用量のプロダクトを取り出すためには、まず最初に、弁のステムを押すように計量室のシリンダを下に動かす必要があり、これによって弁が開く。バイアル瓶の弁から出る加圧されたプロダクトが、プランジャを上に押すことで、計量室の中に入る。プロダクトは、さらに、安全部材の放出弁に通じる管の中にも入り込む。計量室が一杯になるとシリンダは休止位置に戻され、これによってバイアル瓶の弁が閉じる。そうすると、従来のディフューザの押下により安全部材の弁を操作することが可能になる。計量室を満たすためにシリンダを下に動かすには、リングを回転させなければならず、そのリングには、２つの傾斜案内溝が形成されて、シリンダの２つの周辺突起が貫通している。この場合、突起がリングの溝の上部にあるときには、シリンダは高い位置にあって、バイアル瓶の弁のステムを押圧することはない。一方、突起が低い位置にあるときには、シリンダは、下に平行移動されることでロッドを押圧し、これによってバイアル瓶の弁を開く。従って、一用量を取り出すには、まず、１回目に計量室を満たすためにリングを回し、そして２回目にバイアル瓶の弁を閉じるためにリングを回す必要がある。それから、第２の弁を開くために、安全部材の上端部に配置されたディフューザを押下しなければならない。この装置は、あまり使い易くはない。さらには、２つの異なる弁を必要とする。
【０００５】
欧州特許第０６４２９９２号（特許文献２）は、分配されるプロダクトが入った容器の首の開口部に取り付けられる計量装置を開示している。この計量装置は、計量室とステムとを有する弁を備えている。ステムが第１の位置にあるときには、計量室は、容器の内部とつながって、所定量のプロダクトで満たされる。ステムが第２の位置にあるときには、計量室は、容器の内部から切り離されて、その中のプロダクトが放出可能となるように、外部とつながっている。このために、計量室は、片側で環状の弁シールにより、その反対側で同じく環状の室シールにより、軸方向に区切られている。ステムは、両方のシールを貫通している。ステムは、軸方向に配置されるとともに２つの径方向開口部により上向きと下向きに開口した第１の分配路を備えている。ステムは、軸方向に配置された第２の分配路を備え、これは、第１の分配路に向かう側に径方向開口部を有し、ステムの自由端側に軸方向開口部を有している。ステムは、バネにより維持される休止位置では、第１の分配路の上側開口部が２つのシール間で計量室内に位置する一方で、第２の分配路の径方向開口部が弁シールで閉鎖されるように、位置付けられる。第１の分配路の下側開口部は、バイアル瓶の内部に開口している。この位置にあるときにバイアル瓶を逆さまにすると、第１の分配路を介して、計量室は、容器内に入っているプロダクトで満たされる。ユーザがバネの力に逆らってステムを押下すると、径方向開口部が変位する。第１の分配路の上側開口部は、室シールにより閉鎖され、第２の分配路の径方向開口部は、計量室内に開口する。噴射ガスと混合されたプロダクトは、圧力の影響により、第２の分配路を介して計量室から放出される。この装置を使用するためには、バイアル瓶を逆さまにする必要がある。
【０００６】
独国実用新案第７９１４７０４号（特許文献３）は、計量室が弾性壁によって閉じられた凹部により形成されている計量装置を開示している。型式によって、その凹部は、半球形またはディアボロ形である。浸漬された弾性壁は、加圧バイアル瓶内の圧力を受ける。計量室が外部とつながる位置にされると、弾性壁は、その内容物の放出をトリガするように、凹部内側に押し戻される。
【０００７】
仏国特許第１５０３６８４号（特許文献４）は、バイアル瓶内で弁体に取り付けられる計量装置を開示している。この装置は、弁体内に開口した計量室を備えている。バイアル瓶をすぐに使用できる状態で製造するためには、容器を所望の液体で満たして、弁をクリンピングにより装着し、そして出口通路を介してガスを導入しなければならない。計量室を弁体に接続する管に、開口部が設けられている。この開口部は、弾性スリーブで囲まれており、これが圧力の影響で膨らむことで、ガスを容器内に逃がすことが可能である。
【先行技術文献】
【特許文献】
【０００８】
【特許文献１】欧州特許第１０９９６４７号
【特許文献２】欧州特許第０６４２９９２号
【特許文献３】独国実用新案第７９１４７０４号
【特許文献４】仏国特許第１５０３６８４号
【発明の概要】
【発明が解決しようとする課題】
【０００９】
単純な弁を備えるバイアル瓶で一般的であるように、弁を介してプロダクトをバイアル瓶内に導入することが、提示されたバイアル瓶ではいずれも可能になっていない。同様に、これらのバイアル瓶はいずれも、計量室によって送出されるよりも多くの量を取り出すことが、弁を立て続けに数回操作しない限り可能にならない。
【課題を解決するための手段】
【００１０】
本発明の目的は、計量室を備えているが、弁を通した充填が可能な、加圧バイアル瓶の弁の計量装置を開発することである。本発明の別の目的は、計量室により定められる一用量の取り出しが可能であるだけではなく、計量室により定められるのとは異なる一用量の取り出しを、弁を数回操作する必要なく可能にすることである。第３の目的は、頭部を上にして取り出すバイアル瓶と、頭部を下にして取り出すバイアル瓶に、同じ弁を使用することができるようにすることである。
【００１１】
この目的を達成するため、本発明によれば、一方では、計量室が、その上端で、弁体の、バイアル瓶に取り付けられた状態でバイアル瓶の内部に位置する部分に固定されており、また、バイアル瓶の内部および計量室につながる入口通路が設けられ、出口通路が計量室と弁の外部とにつながっており、弁部が開位置にあるときに入口通路を閉鎖するための入口閉鎖手段が設けられ、弁部が閉位置にあるときに出口通路を閉鎖するための出口閉鎖手段が設けられている。他方で、弁部は、開位置を越えて、短絡位置と呼ばれる第３の位置に移動させることが可能であり、バイアル瓶の内部と弁の外部とにつながる短絡路と呼ばれる第３の通路が設けられ、弁部が閉位置または開位置にあるときに短絡路を閉鎖するための短絡閉鎖手段が設けられる。短絡位置では、計量室の容積により規定されるよりも大きい量のプロダクトを取り出すことが可能である。同様に、この短絡通路を介してバイアル瓶を充填することが可能である。
【００１２】
短絡路が、入口通路および／または出口通路の少なくとも一部を通っていないのであれば、弁部が短絡位置にあるときには、入口閉鎖手段および／または出口閉鎖手段は、閉位置にあることが好ましい。同様に、短絡路は、計量室を通ることなく、バイアル瓶の内部と弁の外部とにつながっていることが好ましい。
【００１３】
入口閉鎖手段と出口閉鎖手段は、互いから独立であることが好ましい。
【００１４】
本発明の好ましい実施形態では、入口通路は、弁体の壁の、バイアル瓶の内部またはパウチにつながっている領域に形成された少なくとも１つの孔と、弁体内部の壁に形成されたオリフィスと、計量室の壁に形成されたオリフィスと、によって構成されており、入口閉鎖手段は、弁部の円筒状テノンの形態をした下端部により構成され、その径方向断面は、該壁のオリフィスの内寸に対応しており、これによって、テノンはオリフィスの中に入ると、これを緊密に閉鎖し、また、該壁は、好ましくは、その端部が計量室に向かって漏斗状になっているカラーの形態をとるものである。入口閉鎖手段の封止を強化するために、該壁に形成されたオリフィスの下方に、好ましくは環状リングである封止手段が配置されることが好ましい。この場合、テノンは、弁体の壁のオリフィスにつながると、環状リングにも当接する。
【００１５】
出口通路は、好ましくは、計量室に形成されたオリフィスと、弁体内部の壁に形成されたオリフィスと、弁部に形成されて互いから障壁によって分離されている下部中央流路および上部中央流路と、弁部の壁に形成されて上部中央流路の内部および弁部の外部とつながっている少なくとも１つのオリフィスと、弁部の壁に形成されて下部中央流路の内部および弁部の外部とつながっている少なくとも１つのオリフィスと、上記少なくとも１つのオリフィスと上記少なくとも１つのオリフィスとをつなぐために設けられた連絡通路と、により構成されており、出口閉鎖手段は、弁部がその中で摺動可能な環状壁からなる室シールによって構成されており、該室シールはその内面に少なくとも１つの環状溝を有し、その溝の高さは、上部中央流路に形成された少なくとも１つのオリフィスと、下部中央流路に形成された少なくとも１つのオリフィスとの間の垂直距離に少なくとも等しい大きさであり、弁が閉位置にあるときには、上部中央流路の少なくとも１つのオリフィスおよび／または下部中央流路の少なくとも１つのオリフィスは、環状壁の内面によって閉じられて、これにより出口通路を閉鎖し、弁が開位置にあるときには、上部中央流路の少なくとも１つのオリフィスおよび下部中央流路の少なくとも１つのオリフィスは環状溝内に開口して、これにより出口通路を開放する。
【００１６】
好ましくは、計量室は、円筒部を有し、その下端部と呼ばれる弁体と反対側の端部は、放射状下側壁と呼ばれる放射状の壁で閉じられており、その上端部と呼ばれる弁体に向いた端部は、放射状上側壁と呼ばれる放射状の壁で閉じられており、該円筒部の内部でピストンが２つの放射状の壁の間を摺動可能であって、これにより計量容積を規定している。
【００１７】
この場合、計量室の放射状上側壁は開口部を備えることができ、円筒部の２つの放射状の壁の間でピストンが摺動可能であり、計量室の放射状下側壁とピストンとの間にバネを備え、これによって、他に制約がないときには、ピストンを、開口部を備える放射状上側壁に対して押し返している。
【００１８】
計量室内にピストンを導入することを可能にするために、好ましくは、計量室を一方で形成する円筒部と、他方の放射状上側壁および／または放射状下側壁とは、相互に組み付けまたは分離が可能な別々の部品をなしており、該壁を円筒部に固定するための手段を備える。
【００１９】
噴射ガスとプロダクトを切り離すために、計量室と、入口通路、出口通路、および必要に応じて短絡路の始点とを包囲するように、フレキシブル・パウチを弁体に溶接することができる。このように、パウチが設けられるときには、入口通路、出口通路、および必要に応じて短絡路が、バイアル瓶内にではなくパウチ内に上流で開口する。このようなパウチによって、バイアル瓶の姿勢にかかわりなく、弁を使用することができる。
【００２０】
具体的には、弁部は、上部流路と呼ばれる第１の軸方向流路を形成する上部円筒壁と呼ばれる第１の円筒壁と、第２の軸方向流路を形成する第２の円筒壁と、により構成することができ、これら２つの軸方向流路は、障壁によって互いから分離されており、上部流路は、その上端で軸方向開口部によって開口し、障壁の側で少なくとも１つの径方向開口部によって弁部の外面に開口しており、下部流路は、その下端で軸方向開口部によって開口し、障壁の側で少なくとも１つの径方向開口部によって弁部の外面に開口しており、弁部は、好ましくは、弁体内で外部または内部に向かう自身の動きを制限するための少なくとも１つの環状ストッパを、その外周に備える。
【００２１】
その場合、弁体は、該弁体内に配置される室シールを備えることができ、弁の閉位置では、弁部の上部流路の少なくとも１つの径方向孔が室シールの高さに位置してこれにより閉じられ、環状ストッパは室シールに緊密に当接する。
【００２２】
弁が計量室を避けて短絡することが可能でなければならないときには、好ましくは、弁部は、環状流路を形成するように第１の円筒壁を同心状に少なくとも部分的に取り囲む第３の円筒壁を備え、その環状流路は、上記２つの流路からは切り離されて、その所謂上端部に軸方向開口部を備え、さらに環状流路の内部と弁部の外部とにつながる少なくとも１つの径方向孔を備える。この場合、弁体および弁部は、該弁部が、開位置を越えて、短絡位置と呼ばれる位置に移動することができるように寸法設定されており、弁体は、室シールに関して計量室とは反対側に配置される弁シールを備え、これは、弁を取り付けた状態において、弁の閉位置では、環状流路の少なくとも１つの径方向孔がバイアル瓶の外部に位置し、弁の開位置では、環状流路の少なくとも１つの径方向孔が弁シールに面する位置でこれにより閉じられるか、またはバイアル瓶の外部に位置し、弁の短絡位置では、環状流路の少なくとも１つの径方向孔が弁シールの外側とは反対側に位置するように、位置付けられている。
【００２３】
弁体の外面に少なくとも１つの側部流路を設けることができ、該側部流路は、バイアル瓶に取り付けられた状態においてバイアル瓶の内部またはパウチ内に開口する第１の開口部と、弁シールと室シールとの間で該弁体の内部に開口する第２の開口部と、を備える。弁にフレキシブル・パウチが設けられるときには、該パウチは、弁体の少なくとも１つの側部流路の第１の開口部を包囲するように弁体に溶接され、これによって、少なくとも１つの側部流路は、パウチの内部につながるとともに、弁シールと室シールとの間で弁体の内部につながる。
【００２４】
本発明について、つぎの図面に示す例示的な実施形態を用いて、以下でより詳細に説明する。
【図面の簡単な説明】
【００２５】
【図１】図１は、計量弁の全体としての側面断面図である。
【図２】図２は、計量弁の分解図である。
【図３】図３は、閉位置にある弁の（ａ）正面および（ｂ）側面の拡大断面図である。
【図４】図４は、開位置にある弁の（ａ）正面および（ｂ）側面の拡大断面図である。
【図５】図５は、短絡位置にある弁の（ａ）正面および（ｂ）側面の拡大断面図である。
【図６ａ】図６ａは、スペーサの斜視図である。
【図６ｂ】図６ｂは、スペーサの断面図である。
【図７ａ】図７ａは、室シールの斜視図である。
【図７ｂ】図７ｂは、室シールの断面図である。
【図８ａ】図８ａは、計量室のカバーの上面斜視図である。
【図８ｂ】図８ｂは、計量室のカバーの底面斜視図である。
【図９ａ】図９ａは、計量室の基部の上面斜視図である。
【図９ｂ】図９ｂは、計量室の基部の底面斜視図である。
【図１０ａ】図１０ａは、弁体の上面斜視図である。
【図１０ｂ】図１０ｂは、弁体の底面斜視図である。
【図１０ｃ】図１０ｃは、弁体の正面断面図である。
【図１０ｄ】図１０ｄは、弁体の側面断面図である。
【図１０ｅ】図１０ｅは、弁体の俯瞰図である。
【図１１ａ】図１１ａは、ステムの正面断面図である。
【図１１ｂ】図１１ｂは、ステムの側面断面図である。
【図１１ｃ】図１１ｃは、ステムの斜視図である。
【図１２ａ】図１２ａは、ピストンの上面斜視図である。
【図１２ｂ】図１２ｂは、ピストンの底面斜視図である。
【図１２ｃ】図１２ｃは、ピストンの断面図である。
【発明を実施するための形態】
【００２６】
説明を明確にするため、「下部」、「上部」、「バイアル瓶内部」、「バイアル瓶外部」などの空間的表現が用いられる。留意すべきことは、この弁は、バイアル瓶とは独立に製造・販売されるものであるということであり、保護は、特にバイアル瓶はなしで弁を単独で含むものとする。従って、これらの表現は、バイアル瓶の上方にその弁が配置されるようなバイアル瓶に組み付けて用いられるものとしての弁に対してなされるものである。これは、弁を倒立状態で、すなわち弁をバイアル瓶の下で、または他のいずれかの状態で使用する可能性を排除するものではない。
【００２７】
弁（１）は、カップ（２）などの固定手段によって、図示していない硬質バイアル瓶に固定されるものである。バイアル瓶の首とカップ（２）との間に、封止を確実にするための外側シールと呼ばれるシール（２１）が設けられる。通常、弁（１）は、カップ（２）のドーム（２２）に固定される。
【００２８】
弁（１）は、基本的に、つぎのものによって構成される。
−  カップ（２）のドーム（２２）に固定される弁体（９）；
−  弁体（９）内に配置されて、その中で、閉位置と、少なくとも第１の開位置との間で軸方向に移動可能な、一般にステム（４）と呼ばれる弁部；
−  スペーサ（３）；
−  ２つの内側シール（５ａ，５ｂ）；
−  計量室（７）。
【００２９】
弁は、一般に、プロダクトを噴射ガスから切り離すことを可能にする内側パウチ（１１）を備える。
【００３０】
弁体（９）は、カップ（２）のドーム（２２）に固定される円筒リング状の上部（９１）により構成されている。この上部（９１）の前面とドームの底部（２２）との間に、封止を確実にするための弁内側シール（５ａ）が配置される。この封止は、上部（９１）の前面のテーパ形状によって強化されている。
【００３１】
弁体（９）のこの上部リング（９１）には、略円筒状の主部（９２）がつながっている。
【００３２】
軸方向流路（９５）が主部（９２）を貫通している。この流路は、中央オリフィスを備える内向きの放射状カラー（９８）によって、上部と下部に区切られている。上部は、軸方向流路（９５）の中心を向いた放射状リブを２セット備えている。放射状リブの第１のセット（９６）は、その上部で、後述する室シール（５ｂ）と呼ばれる第２の内側シールのためのストッパを成す一方で、ステム（４）のための摺動ガイドも成している。放射状リブの第２のセット（９７）は、さらにステム（４）の肩部のためのストッパを成している。リブの第１のセット（９６）は、第２のセット（９７）の上方に位置している。これらのリブの間を、プロダクトが循環することができる。第１のセット（９６）のリブの中心を向いた自由端は、第２のセット（９７）のリブの自由端よりも、弁体の中心軸から遠くに位置している。
【００３３】
２つの径方向オリフィス（９９）が、弁体内にあるカラー（９８）の上方で、主部（９２）の壁に形成されている。このカラー（９８）には、下に向かって先細りになる漏斗状部分（９８１）がつながっている。
【００３４】
弁体（９）は、その外面に２つの放射状フィン（９３）を有している。これらのフィンは、弁体の径方向平面においてＶ字形断面を有し、Ｖ字の翼状部は、主部（９２）の円筒状部分に略接線方向に支持されている。これら２つのフィン（９３）は、互いに反対側に配置されており、また、これらは中空である。このようにして、各フィン（９３）の内部には側部流路（９３１）が形成されており、この流路は、その下部（上部リングと反対側）で開口し、上部で閉じている。各流路（９３１）は、その上部にオリフィス（９４）を備えており、これは、上部リング（９１）の少し下方、かつ室内側シール（５ｂ）のための座部の上方で、軸方向流路（９５）の上部の中に開口している。これらのオリフィス（９４）は、それぞれフィンの内部の流路（９３１）とつながっており、さらには上部リング（９１）内部の空間とつながっている。
【００３５】
フレキシブル・パウチ（１１）は、主部（９２）の外面に、例えば溶接により固定される。パウチ（１１）は、すべての側で閉じられ、弁を通してのみ外部との連通が可能である。このパウチによって、分配用のプロダクトを、パウチの外部にある噴射ガスから分離することが可能である。しかしながら、これは、パウチを用いなくても十分に可能である。
【００３６】
ステム（４）は、略円筒状の外形を有し、その上端で軸方向開口部により開いた上部中央流路（４２）を形成する第１の円筒壁（４１）と、その下端で軸方向開口部により開いた下部中央流路（４４２）を形成する第２の円筒壁（４４）と、を備える。２つの中央流路（４２、４４２）は、障壁（４３）によって互いから分離されている。第２の円筒壁は、円筒状のテノン（４４）を形成している。テノンの外面の上部すなわち障壁（４３）側に、円形の肩部（４４１）を備えている。漏斗状部分（９８１）の狭窄部の内径は、ステム（４）のテノン（４４）の外径に対応している。
【００３７】
ステム（４）の第１の壁（４１）には、中央流路（４２）の下端近くに、２つの径方向孔（４５）の第１のセットが形成されている。これら第１の径方向孔（４５）は、この場合、中央流路（４２）の内部とステム（４）の外面につながっている。同様に、テノン（４４）を形成している第２の円筒壁は、その上部の障壁（４３）近くで、２つの径方向孔（４４３）の第２のセットによって開口している。これら２つの径方向孔は、肩部（４４１）の上方で開口している。
【００３８】
ステム（４）は、さらに第３の円筒壁（４６）を備えており、これは、第１の壁（４１）を同心状に取り囲んで、これにより上部中央流路（４２）と同心の環状流路（４７）を形成している。この環状流路（４７）は、その上端で軸方向開口部により開いており、底部で閉じている。その長さは、第１の径方向孔（４５）と交差しないようになっている。２つの径方向孔（４８）の第３セットが、環状流路（４７）の内部とステム（４）の外部につながるように、第３の円筒壁（４６）を貫通している。この第３のセットの孔（４８）は、第１および第２のセットの孔（４５、４４３）より上方で開口している。
【００３９】
ステム（４）は、さらに、その周囲に２つの円形ストッパ（４９ａ，４９ｂ）を備える。第１のストッパ（４９ａ）の外径は、弁体（９）の軸方向流路（９５）のリブ（９６）の第１の部分の内側端部により形成される円筒の直径に、ほぼ対応している。第２のストッパ（４９ｂ）の外径は、スペーサ（３）の内径にほぼ対応している。第１のストッパ（４９ａ）は、第２のストッパ（４９ｂ）よりも下方に位置している。
【００４０】
ステムは、組み付けられた状態では、弁体内で、それが移動可能な軸方向流路（９５）の範囲内に位置している。ステムの移動は、２つの極限位置である上位置すなわち閉位置と下位置すなわち短絡位置との間で制限されている。下向きには、すなわち短絡位置では、リブ（９７）の第２のセットの上部に当接する第１のストッパ（４９ａ）によって移動が制限され、一方、上向きには、すなわち閉位置では、カップ（２）のドーム（２２）内に位置する弁内側シール（５ａ）に当接する第２のストッパ（４９ｂ）によって移動が制限される。この位置では、さらに、室内側シール（５ｂ）に当接する第１のストッパ（４９ａ）によっても移動が制限される。
【００４１】
スペーサ（３）は、その上部に外向きの放射状リブ（３１）を備える中空円筒によって形成されている。
【００４２】
計量室（７）は、適当な手段によって、弁体（９）の好ましくは下部に固定される。計量室は、基本的に、カバー（７１）と、ピストン（７３）がその中を摺動する基部（７２）とによって構成されている。このピストンは、（その端のコイルのみを図示している）バネ（７４）の圧力を受けており、このため、他に作用する力がなければ、カバー（７１）を押し戻す傾向がある。
【００４３】
計量室のカバー（７１）は、基本的に、中央開口部（７１２）を備える放射状の壁（７１１）と、２つの円筒壁（７１３，７１４）とにより構成されている。第１の円筒壁（７１３）は、放射状の壁（７１１）から下向きに延出している。第２の円筒壁（７１４）は、第１の円筒壁と同心であって、放射状の壁（７１１）の中央開口部（７１２）の周りで上向きに延出している。第２の円筒壁（７１４）の上端は、組み付けられた状態では、好ましくは環状リング（７１７）または他の適当な封止手段を挟んで、弁体の漏斗状部分（９８１）の下面に当接している。先の２つの円筒壁に同心であって、第２の円筒壁を取り囲む第３の円筒壁（７１５）が、弁の好ましくは弁体の下端にある計量室（７）固定手段を受け取るように、設けられている。ここで示す例では、固定手段は、一方で、弁体（９）の下端部の外面に円弧状に配置された２つの放射状テノンと、第３の円筒壁（７１５）の内面の上端に中心を向いて配置された２つの放射状肩部（７１８）とにより構成されている。弁体の２つのテノンは、組み付けられた状態では、計量室のカバーの第３の放射状の壁の２つの肩部（７１８）の裏に嵌め込まれる。環状リング（７１７）があることによって、封止が強化される。
【００４４】
計量室の基部（７２）は、底部が放射状の壁（７２２）によって閉じられた円筒壁（７２１）により構成されている。基部（７２）の円筒壁（７２１）の内径は、カバー（７１）の第１の円筒壁（７１３）の外径に、ほぼ対応している。計量室のこれら２つの要素は、いずれかの適切な手段によって相互に接続することができる。ここで示す例では、それらは、基部（７２）の円筒壁（７２１）の周囲に等間隔で配置された円弧状の４つのテノン（７２３）と、カバー（７１）の第１の円筒壁（７１３）に設けられた同数の肩部（７１６）とによって、これらの肩部の裏にテノン（７２３）が嵌め込まれることにより、接続される。言うまでもなく、計量室の底部の放射状の壁は、計量室の残りの部分と別々のものとすることも可能である。
【００４５】
ピストン（７３）は、基本的に、円筒リング（７３２）に固定されたソリッドな（従って、欧州特許第１０９９６４７号（特許文献１）の弁とは異なり、流路開口がない）放射状の壁（７３１）と、その円筒リングの中に入り込んで放射状の壁の下面に当接するバネ（７４）とにより構成されており、あるいは、ここに示すケースでは、円筒リング（７３２）よりも高さが低く、放射状の壁から延出する放射状リブ（７３３）に、バネが当接している。円筒リング（７３２）の外面に形成された肩部（７３４）によって、ピストン（７３）と、計量室の基部（７２）の円筒壁（７２１）の内面との間の封止を確保する。計量室が満たされると、基部（７２）の内部でピストン（７３）の下にある空気が圧縮される。
【００４６】
環状の弁シール（５ａ）は、ドームの底で、その底と弁体の上面との間に配置される。
【００４７】
室シール（５ｂ）は、弁体の軸方向流路（９５）の内部に配置されて、リブ（９６）の第１のセットの上面に支持される。これは、スペーサ（３）によって、この位置に保持される。室シール（５ｂ）は環状である。その外径は、リブ（９６）の第１のセットの上方の軸方向流路（９５）の内径に対応している。その内径は、第１の径方向孔（４５）および第２の径方向孔（４４３）でのステム（４）の外径に対応している。室シール（５ｂ）は、その内面に２つの平行な径方向溝（５１ｂ，５２ｂ）を有し、これらは互いに上下に配置されている。下側の溝（５１ｂ）の高さは、ステムの第１の径方向孔（４５）と第２の径方向孔（４４３）との間の軸方向距離の大きさ以上である。実際には、第２の径方向溝（５２ｂ）は何も役割を持たないので、省くことが可能であろう。それが存在することは、弁の組み立てが簡単化されるという理由によってのみ正当化される。この部品が中央の径方向平面に関して対称であることによって、これを弁体内にどちら向きに取り付けることも可能である。
【００４８】
弁を取り付けた状態では、弁体（９）の下部に固定された計量室（７）が下から上まで見えている。ステム（４）は、弁体（９）内に配置されて、バネ（８）により上位置に押し返されており、そのバネは、一方の側をステム（４）の肩部（４４１）に、他方の側をカラー（９８）の上面に支持されている。室シール（５ｂ）は、軸方向流路（９５）内で、第１のセット（９６）のリブの上面と、スペーサ（３）との間でブロックされ、そのスペーサ自体は軸方向流路（９５）の最上部に配置される。そして、弁体の上部リング（９１）は、ステム（４）の上部を取り囲む弁シール（５ａ）を挟んで、例えばクリンピングによりカップ（２）に固定される。このシールによって、特に、その下方の領域と、その上方の領域との間の封止を確保している。
【００４９】
パウチ（１１）またはバイアル瓶に入ったプロダクトが計量室に入り、そしてそこから出ていくことを可能にするため、入口通路と出口通路とを備え、その流入経路と流出経路には、必要に応じてこれらの通路を閉鎖するための入口閉鎖手段と出口閉鎖手段とが、それぞれ設けられる。それぞれの閉鎖手段が開いているときには、入口通路は、パウチの内部、またはパウチがないときにはバイアル瓶の内部と、計量室とにつながっており、一方、出口通路は、計量室の内部と、ステムの上部中央流路（４２）とにつながっている。
【００５０】
入口通路は、弁体に形成された入口オリフィス（９９）と、弁体のカラー（９８）の漏斗状部分（９８１）により形成されたオリフィスと、そして第２の円筒壁（７１４）、さらに計量室のカバー（７１）のオリフィス（７１２）、によって構成されている。入口通路は例えば図３ｂにおいてはっきりと見ることができ、この図では矢印で示している。この入口通路の閉鎖手段は、ステムの第２の円筒壁（４４）のテノン状の下端部により構成され、これは、ステム（４）が十分に低い位置にされると、弁体の漏斗状部分（９８１）と環状リング（７１７）の開口を緊密に閉じるようになる。入口閉鎖手段による入口通路の閉鎖は、図４ｂおよび５ｂにおいて、はっきりと見ることができる。
【００５１】
出口通路は、計量室のカバー（７１）のオリフィス（７１２）と第２の円筒壁（７１４）により形成されるオリフィス、弁体のカラー（９８）の漏斗状部分（９８１）、ステムの下部中央流路（４４２）と径方向孔の第２のセット（４４３）、室シール（５ｂ）の第１の環状溝（５１ｂ）、径方向孔の第１のセット（４５）と、上部中央流路（４２）によって構成されている。出口通路は図４ｂにおいてはっきりと見ることができ、この図では矢印で示している。出口通路の閉鎖手段は、室シール（５ｂ）の円筒壁の内面によって構成され、これは、径方向孔の２つのセット（４５、４４３）が第１の環状溝（５１ｂ）と位置が揃った状態でなくなると、これら２つのセットの孔の間で緊密な障壁を構成し、これによって出口通路を閉じる。出口通路の閉鎖は、図３ｂおよび５ｂにおいてはっきりと見ることができる。
【００５２】
弁が閉位置にあるときには、ステムの第３の円筒壁（４６）の径方向孔（４８）は、弁シール（５ａ）の上方、すなわち弁の外に位置している。上部中央流路（４２）の下部にある径方向孔（４５）は、室シール（５ｂ）の上側の溝（５２ｂ）に向き合う（あるいは、第２の環状溝がない場合には、その孔を塞ぐ室シールの壁に対向する）位置にあり、一方、第２の径方向孔（４４３）は、下側の溝（５１ｂ）に向き合う位置にある。このようにして、径方向孔の２つのセットは互いから切り離されており、ステム（４）の下部中央流路（４４２）と上部中央流路（４２）の間は連通していない。ステムのテノン（４４）は、カラー（９８）のオリフィスに入り込んではいるが、漏斗状部分（９８１）の基部および環状リング（７１７）につながってはいない。従って、パウチ（１１）の内部と計量室との間の通路を遮るものはない。この通路は、入口オリフィスと呼ばれる径方向孔（９９）を通り、そしてカラー（９８）の漏斗状部分（９８１）とテノン（４４）の下端部との間の空間を通り、最後に計量室のカバーの中央オリフィス（７１２）を通って進むものである。
【００５３】
この位置では、パウチ内でその外側にあるガスにより例えば約８バールまで圧縮されるプロダクトが、オリフィス（９９）を通って軸方向流路（９５）に入り込み、テノン（４４）の端部を通り越えて漏斗状部分（９８１）を通過し、バネ（７４）の作用に逆らってピストン（７３）を押すことにより、計量室のカバー（７１）の中央オリフィス（７１２）を通り抜ける。弁体の側では、プロダクトがステムの下部の軸方向流路（４４２）を上昇して、弁体の下部を満たす。しかし、それは、弁体内で室シール（５ｂ）によって、室シールの下側の溝（５１ｂ）の内側のステムの位置で遮られる。プロダクトは、弁から抜け出ることはできずに、計量室を満たす。
【００５４】
弁を作動させると、つまりステムの頂部に圧力が加えられると、ステムが下へ移動する。計量室を空にするには、ステムを、上位置すなわち閉鎖位置と下位置すなわち短絡位置との間の中間位置に下降させることになっている。
【００５５】
この中間位置では、ステムの第３の円筒壁の径方向孔（４８）がやはり弁シール（５ａ）の上方の位置にあるように、ステムが下げられる。ステムの上部中央流路（４２）の下部にある径方向孔（４５）が、下部中央流路（４４２）の上部にある径方向孔（４４３）と同じく、下側の環状溝（５１ｂ）に向き合う位置にされる。こうして、これらは相互に連通する。このとき、テノン（４４）の下端部はカラーの漏斗状部分（９８１）に入り込んで、カラーの中央オリフィスを緊密に閉じる。
【００５６】
この位置では、カラーの中央穴がテノン（４４）により緊密に閉じられることによって、径方向入口孔（９９）と計量室との間の入口通路が閉鎖されるので、もはやプロダクトがパウチ（またはバイアル瓶）から計量室に流れることはできなくなる。一方、計量室は、外部とつながって、圧力が低下し、バネ（７４）がピストン（７３）を計量室の上端に向けて押し戻す。このようにして、プロダクトが放出される。プロダクトは、まず、出口開口部（７１２）と、カバー（７１）の第２の円筒壁（７１４）に形成された流路を通って、テノン（４４）の下部流路（４４２）を上昇し、テノンの孔（４４３）を通って、室シール（５ｂ）の下側の溝（５１ｂ）を循環し、ステムの上部中央流路（４２）の下部にある孔（４５）を通って、その流路を上昇し、そして弁の外に至る。このようにして、計量室内にあるプロダクトの量だけを放出させることができる。多くて、最初の使用時に、下部中央流路（４４２）と上部中央流路（４２）の内部の経路により形成されるデッドボリュームを満たすのに必要なプロダクトの量が不足する程度である。その後の使用の際には、このデッドボリュームが既にプロダクトで満たされているので、放出される量は計量室（７）の容積に正確に一致する。
【００５７】
弁にかかる圧力が解除されると、バネ（８）がステム（４）を上方に押し戻して、ステムはその初期位置に戻り、計量室は再び充填される。
【００５８】
注目すべきは、ステムの位置にかかわりなく、パウチの中のプロダクトが、弁体のフィン（９３）の側部流路（９３１）に入り込んで、それらのオリフィス（９４）を通り、弁シール（５ａ）と室シール（５ｂ）との間にある空間に入り込むということである。しかし、この空間は緊密に閉じられており、その中のプロダクトが抜け出ることはできない。
【００５９】
場合によっては、例えば、はるかに多い用量のプロダクトを取り出すため、計量室（７）を迂回することが有用となり得る。このような場合には、さらに大きな圧力をステムの上面に加えることで、上記の中間位置を越えて、最下の極限位置まで下降させることが可能である。この場合、ステムの第３の円筒壁（４６）の径方向孔（４８）は、弁シール（５ａ）の下方を通るので、弁体の内部につながる。径方向孔（４５）は室シールの下側の溝（５１ｂ）に向き合っており、一方、径方向孔（４４３）はリブの第１と第２のセット（９６，９７）の位置にある。このようにして、再び上部中央流路（４２）と下部中央流路（４４２）は互いから切り離される。テノン（４４）がカラー（９８）の漏斗状部分の中にさらに深く入り込んで、カラーの中央穴の緊密な閉鎖が維持される。
【００６０】
この極限位置では、入口通路と出口通路が閉じられて、計量室は、パウチ（１１）から切り離されるだけではなく、外部からも切り離される。充填することも、空にすることもできない。一方、パウチ（またはバイアル瓶）の中のプロダクトは、フィンの側部流路により、弁を通って抜け出る。プロダクトは、フィン（９３）の側部流路（９３１）内に押し出されて、流路（９３１）の上端部と上部リング（９１）の内部をつなぐオリフィス（９４）を通り、リング内に入り込んで、スペーサ（３）のリブ（３１）の間を通り、ステムの第３の円筒壁（４６）に形成された孔（４８）を通って、環状流路（４７）を通して出ていく。
【００６１】
注目されるのは、計量室を避けて短絡するこの最下の極限位置で、加圧バイアル瓶の製造の際にパウチを充填することが可能であるということである。
【００６２】
短絡位置が必要ない場合には、フィンはパウチ（１１）の溶接を容易にするために保持することがあるにしても、ステムの第３の円筒壁（４６）と弁体の側部流路（９３１）は省くことができる。この場合、ステムは、閉鎖する上位置と開放する中間位置の間でのみ移動することになり、この中間位置が第２の極限位置となる。
【００６３】
また、パウチも不可欠ではない。バイアル瓶の中のプロダクトを直接取り出すことを想定することができる。そのような場合、弁を逆さまで（バイアル瓶の下方に弁を配置して）用いることができる。しかし、それを正位置で（バイアル瓶の上方に弁を配置して）使用しなければならない場合は、弁体下部の径方向開口部（９９）とフィンの側部流路（９３１）に接続された浸漬管を備える必要がある。
【００６４】
ここで示す実施形態では、径方向孔（４５，４４３，４８，９９）はペアで示されている。それぞれ１つずつとするか、逆に２つより多くすることも十分に可能である。
【００６５】
本発明の計量弁は、特にパウチ（１１）を伴って、どんな姿勢でも用いることができる。ピストン（７３）を押圧するバネ（７４）があることによって、計量室からのプロダクトの迅速かつ完全な放出が確保される。計量室は、プロダクトの放出に用いる経路を介して上端から充填されるので、パウチの使用を省いた場合でも、使用の合間に空になる恐れがない。
【符号の説明】
【００６６】
１    計量弁
１１    フレキシブル・パウチ
２    カップ
２１    外側シール
２２    ドーム
３    スペーサ
３１    外向きの放射状リブ
４    ステム
４１    第１の円筒壁
４２    上部中央流路
４３    障壁
４４    第２の円筒壁／テノン
４４１    円形の肩部
４４２    下部中央流路
４４３    径方向孔の第２のセット
４５    径方向孔の第１のセット
４６    第３の円筒壁
４７    環状流路
４８    径方向孔の第３のセット
４９ａ    第１のストッパ
４９ｂ    第２のストッパ
５ａ  弁シール
５ｂ  室シール
５１ｂ    下側の環状溝
５２ｂ    上側の環状溝
７    計量室
７１    カバー
７１１    放射状の壁
７１２    中央オリフィス
７１３    第１の円筒壁
７１４    第２の円筒壁
７１５    第３の円筒壁
７１６    基部を固定するための肩部
７１７    環状リング
７１８    弁体に固定するための肩部
７２    基部
７２１    円筒壁
７２２    放射状の壁
７２３    テノン
７３    ピストン
７３１    放射状の壁
７３２    円筒リング
７３３    放射状リブ
７３４    肩部
７４    ピストンのバネ
８    ステムのバネ
９    弁体
９１    上部リング
９２    主部
９３    フィン
９３１    側部流路
９４    オリフィス
９５    軸方向流路
９６    リブの第１のセット
９７    リブの第２のセット
９８    カラー
９８１    漏斗状部分
９９    径方向孔
【図１】
2013530897.tif 000003
【図２】
2013530897.tif 000004
【図３】
2013530897.tif 000005
【図４】
2013530897.tif 000006
【図５】
2013530897.tif 000007
【図６ａ】
2013530897.tif 000008
【図６ｂ】
2013530897.tif 000009
【図７ａ】
2013530897.tif 000010
【図７ｂ】
2013530897.tif 000011
【図８ａ】
2013530897.tif 000012
【図８ｂ】
2013530897.tif 000013
【図９ａ】
2013530897.tif 000014
【図９ｂ】
2013530897.tif 000015
【図１０ａ】
2013530897.tif 000016
【図１０ｂ】
2013530897.tif 000017
【図１０ｃ】
2013530897.tif 000018
【図１０ｄ】
2013530897.tif 000019
【図１０ｅ】
2013530897.tif 000020
【図１１ａ】
2013530897.tif 000021
【図１１ｂ】
2013530897.tif 000022
【図１１ｃ】
2013530897.tif 000023
【図１２ａ】
2013530897.tif 000024
【図１２ｂ】
2013530897.tif 000025
【図１２ｃ】
2013530897.tif 000026
【国際調査報告】
2013530897.tif 000027
2013530897.tif 000028
2013530897.tif 000029
2013530897.tif 000030